(57)【特許請求の範囲】
【請求項１】
一次側の回路として電源部から電力に基づいて電流が制御されるコイル部、二次側の回路として前記コイル部の通電状態に応じて機械的動作によって接点が切り替わる接点切替部を備え、前記電源部から負荷へ電力を供給するために設けられた電力供給配線を前記接点切替部の動作によって接続又は遮断するための継電器と、
前記負荷及び前記継電器を対象として、前記電源部から電力を受ける電力供給状態、或いは前記電源部から電力の供給を受けない電力遮断状態に遷移させる電力供給状態遷移制御手段と、
前記コイル部への通電時間を調整する複数の遅延回路を含み、前記複数の遅延回路の各々に含まれるコンデンサに蓄えられた電荷の放電時間を異なる値に設定することで、前記電力供給状態遷移制御手段による遷移制御に対する、前記継電器の接点切替部の機械的動作を制限する制限手段と、
を有する電力供給制御装置。
【請求項２】
前記制限手段は、前記電力供給状態遷移制御手段による遷移制御が行われた場合であっても、前記一次側の回路に流れる電流の状態を通電状態及び非通電状態の何れか一方の状態に維持する請求項１記載の電力供給制御装置。
【請求項３】
前記電力供給制御装置の筐体に設けられた扉の開閉状態を検出する状態検出手段をさらに有し、
前記継電器は、前記状態検出手段により前記扉が閉じている状態であると検出された場合に、前記コイル部に電流を流すことで、前記接点切替部の接点切り替え動作により前記電力供給配線を接続し、前記状態検出手段により前記扉が開いている状態であると検出された場合に、前記コイル部への電流を遮断することで、前記接点切替部の接点切り替え動作により前記電力供給配線を遮断する請求項１又は請求項２記載の電力供給制御装置。
【請求項４】
前記電力供給状態遷移制御手段による遷移制御で電力遮断状態となったとき、前記一次側の回路に対して、前記電源部からの電力供給を受けているときと同等の電力を供給する予備電源部をさらに有する請求項１記載の電力供給制御装置。
【請求項５】
前記負荷が、電力供給を受けて動作して、予め定められた処理を実行する複数の処理部と、当該複数の処理部に対して選択的に処理内容を少なくとも指示する指示部とに分類され、前記電源部からそれぞれの別々の電力供給配線によって接続されており、
前記処理部への電力供給配線上には前記継電器の接点切替部が介在され、前記指示部への電力供給配線上には予備電源部が介在される請求項１記載の電力供給制御装置。
【請求項６】
前記予備電源部が、前記電力供給状態遷移制御手段による遷移制御で電力供給状態中に充電される蓄電デバイスである請求項４又は請求項５記載の電力供給制御装置。
【請求項７】
前記負荷を基準とした周囲を検出領域として設置され前記負荷を使用する使用者を含む移動体が存在しているか否かを検出する移動体検出手段をさらに有し、
前記移動体検出手段の検出結果を、電力供給状態遷移制御手段による電力供給状態及び電力遮断状態の遷移制御の契機とする請求項１〜請求項６の何れか１項記載の電力供給制御装置。
【請求項８】
前記移動体検出手段が、相対的に広範囲を検出領域とする焦電型センサ、相対的に狭範囲を検出領域とする反射型センサの少なくとも一方である請求項７記載の電力供給制御装置。
【請求項９】
前記負荷が、電力供給を受けて動作して、予め定められた処理を実行する複数の処理部と、当該複数の処理部に対して選択的に処理内容を少なくとも指示する指示部とに分類され、
前記電力遮断状態で遷移されるモードとして、前記移動体検出手段による検出結果を解析するための監視制御部に電力を供給するスリープモード、必要に応じて指示部に電力を供給するアウェイクモードを備え、
前記電力供給状態で遷移されるモードとして、前記スリープモードから前記処理部を立ち上げるための準備段階であるウォームアップモード、前記処理部に対して定常時よりも下げて電力を供給しておくスタンバイモード、前記処理部に対して前記定常時の電力を供給するランニングモードを含む複数のモードを備え、
処理状況に応じてモードを遷移する請求項７または請求項８記載の電力供給制御装置。
【請求項１０】
前記請求項１〜請求項９の何れか１項記載の電力供給制御装置を備え、前記負荷が、原稿画像から画像を読み取る画像読取部、画像情報に基づいて記録用紙に画像を形成する画像形成部、予め相互に定められた通信手順の下で画像を送信先へ送信するファクシミリ通信制御部、使用者との情報の受付報知を行うユーザーインターフェイス部、使用者を識別するための使用者識別装置の少なくとも１つを含んでおり、使用者からの指示に基づいて、相互に連携しあって画像処理を実行する画像処理装置。
【請求項１１】
相反する状態に応じて、電源部から負荷まで配線された電力供給配線を導通又は非導通状態とする状態スイッチと、
前記負荷の使用状態に関する情報に基づいて、当該負荷が不使用のとき、前記電源部からの電力供給を中断して、前記負荷への電力供給を断つことで節電する節電手段と、
前記状態スイッチの下流側から分岐された下流側分岐線の電流が入力信号となって動作するスイッチング素子と、
前記状態スイッチの上流側から分岐された上流側分岐線から電力供給を受ける共に前記スイッチング素子を含んだ回路の一部として設けられたコイル及び前記状態スイッチよりも下流側の電力供給配線上に介在され前記コイルが非通電状態でオンする常態導通型スイッチを備えた継電器と、
前記継電器の常態導通型スイッチと並列接続され、前記負荷への電力供給開始時の電流を制限して突入電流を抑制する電流制御回路部と、
前記上流側分岐線の電流に対する前記入力信号の出力時期を調整する第１の遅延回路、並びに前記スイッチング素子の導通状態に対する前記コイルの通電時期を調整する第２の遅延回路を備え、前記第１の遅延回路と第２の遅延回路に設定する時定数を相関させ、少なくとも前記節電手段による節電中は前記継電器の常態導通型スイッチの導通を維持する導通維持手段と、
を有する画像処理装置。
【発明の詳細な説明】
【技術分野】
【０００１】
本発明は、電力供給制御装置、画像処理装置に関する。
【背景技術】
【０００２】
画像処理装置の筐体には、内部のメンテナンス等のために開放可能な扉が設けられている。ここで、前記扉が開放された場合、その開放を検出して画像処理装置の画像処理部、画像読取部等に代表される各デバイスへの電力供給を遮断するインターロックシステムが設けられている。インターロックシステムの一部として設けられる電力供給遮断のための手段は、耐圧等の観点から所謂機械的動作を伴う接点切替手段が適用される。接点切替手段は、例えばコイルを励磁することによって磁力で接点を接続又は遮断するリレースイッチが代表的である。
【０００３】
上記インターロックシステムに関する先行技術として、特許文献１には、画像形成装置などの扉の開閉に伴って電源を切り替える際に、開いていた扉を閉じることによって装置を迅速に稼働状態にすることを可能にすることが提案されている。
【０００４】
特許文献１では、ＡＣ（交流）入力とＤＣ（直流）出力がされる第１直流電源と、ＡＣ入力と常時のＤＣ出力がされる第２直流電源と、非常時電源要遮断部の要遮断動作に伴って前記第１直流電源へのＡＣ入力を遮断するインターロック部と、負荷に対する電圧供給として前記第１直流電源のＤＣ出力と第２直流電源のＤＣ出力とを切り替える切替部と、前記切替部の切り替え制御する制御部とを有する。
【０００５】
一方、画像処理装置の不使用時の電力消費を軽減するための技術として、特許文献２には、定着装置の使用からの所定時間が経過すると自動的に節電状態に移行する第１のタイマと、複合装置の操作又は外部からアクセスされたときの動作終了からの所定時間が経過すると自動的に電源オフ状態に移行する第２のタイマと、を持って制御することが提案されている。
【０００６】
特許文献３では、複写機能、プリンタ機能及びファクシミリ機能のうち少なくとも２つの機能を備えた処理部を有し、選択された機能毎に処理部に対してオートシャット時間を設定可能とすることが提案されている。
【０００７】
また、特許文献４には、人の接近を検知したことと操作部の操作指示履歴とを記録しておき、使用者か否かを判定する、或いは、使用者の検知により電力モードを切り替えることが提案されている。
【先行技術文献】
【特許文献】
【０００８】
【特許文献１】特開２０１０−２６２０３０号公報
【特許文献２】特開平２００３−１６３７６９号公報
【特許文献３】特開平０６−００６４９６号公報
【特許文献４】特開２０１０−１４７７２５号公報
【発明の概要】
【発明が解決しようとする課題】
【０００９】
本発明は、節電のための電力遮断制御に伴う、インターロック部等に設けられた機械的動作を伴う接点切り替え動作を抑制することができる電力供給制御装置、画像処理装置を得ることが目的である。
【課題を解決するための手段】
【００１０】
請求項１に記載の発明は、一次側の回路として電源部から電力に基づいて電流が制御されるコイル部、二次側の回路として前記コイル部の通電状態に応じて機械的動作によって接点が切り替わる接点切替部を備え、前記電源部から負荷へ電力を供給するために設けられた電力供給配線を前記接点切替部の動作によって接続又は遮断するための継電器と、前記負荷及び前記継電器を対象として、前記電源部から電力を受ける電力供給状態、或いは前記電源部から電力の供給を受けない電力遮断状態に遷移させる電力供給状態遷移制御手段と、前記コイル部への通電時間を調整する複数の遅延回路を含み、前記複数の遅延回路の各々に含まれるコンデンサに蓄えられた電荷の放電時間を異なる値に設定することで、前記電力供給状態遷移制御手段による遷移制御に対する、前記継電器の接点切替部の機械的動作を制限する制限手段と、を有している。
【００１１】
請求項２に記載の発明は、前記請求項１に記載の発明において、前記制限手段は、前記電力供給状態遷移制御手段による遷移制御が行われた場合であっても、前記一次側の回路に流れる電流の状態を通電状態及び非通電状態の何れか一方の状態に維持する。
【００１２】
請求項３に記載の発明は、前記請求項１又は請求項２に記載の発明において、前記電力供給制御装置の筐体に設けられた扉の開閉状態を検出する状態検出手段をさらに有し、前記継電器は、前記状態検出手段により前記扉が閉じている状態であると検出された場合に、前記コイル部に電流を流すことで、前記接点切替部の接点切り替え動作により前記電力供給配線を接続し、前記状態検出手段により前記扉が開いている状態であると検出された場合に、前記コイル部への電流を遮断することで、前記接点切替部の接点切り替え動作により前記電力供給配線を遮断する。
【００１３】
請求項４に記載の発明は、前記請求項１に記載の発明において、前記電力供給状態遷移制御手段による遷移制御で電力遮断状態となったとき、前記一次側の回路に対して、前記電源部からの電力供給を受けているときと同等の電力を供給する予備電源部をさらに有する。
【００１４】
請求項５に記載の発明は、前記請求項１に記載の発明において、前記負荷が、電力供給を受けて動作して、予め定められた処理を実行する複数の処理部と、当該複数の処理部に対して選択的に処理内容を少なくとも指示する指示部とに分類され、前記電源部からそれぞれの別々の電力供給配線によって接続されており、前記処理部への電力供給配線上には前記継電器の接点切替部が介在され、前記指示部への電力供給配線上には予備電源部が介在される。
【００１５】
請求項６に記載の発明は、前記請求項４又は請求項５に記載の発明において、前記予備電源部が、前記電力供給状態遷移制御手段による遷移制御で電力供給状態中に充電される蓄電デバイスである。
【００１６】
請求項７に記載の発明は、前記請求項１〜請求項６の何れか１項記載の発明において、前記負荷を基準とした周囲を検出領域として設置され前記負荷を使用する使用者を含む移動体が存在しているか否かを検出する移動体検出手段をさらに有し、前記移動体検出手段の検出結果を、電力供給状態遷移制御手段による電力供給状態及び電力遮断状態の遷移制御の契機とする。
【００１７】
請求項８に記載の発明は、前記請求項７に記載の発明において、前記移動体検出手段が、相対的に広範囲を検出領域とする焦電型センサ、相対的に狭範囲を検出領域とする反射型センサの少なくとも一方である。
【００１８】
請求項９に記載の発明は、前記請求項７または請求項８記載の発明において、前記負荷が、電力供給を受けて動作して、予め定められた処理を実行する複数の処理部と、当該複数の処理部に対して選択的に処理内容を少なくとも指示する指示部とに分類され、前記電力遮断状態で遷移されるモードとして、前記移動体検出手段による検出結果を解析するための監視制御部に電力を供給するスリープモード、必要に応じて指示部に電力を供給するアウェイクモードを備え、前記電力供給状態で遷移されるモードとして、前記スリープモードから前記処理部を立ち上げるための準備段階であるウォームアップモード、前記処理部に対して定常時よりも下げて電力を供給しておくスタンバイモード、前記処理部に対して前記定常時の電力を供給するランニングモードを含む複数のモードを備え、処理状況に応じてモードを遷移する。
【００１９】
請求項１０に記載の発明は、前記請求項１〜請求項９の何れか１項記載の電力供給制御装置を備え、前記負荷が、原稿画像から画像を読み取る画像読取部、画像情報に基づいて記録用紙に画像を形成する画像形成部、予め相互に定められた通信手順の下で画像を送信先へ送信するファクシミリ通信制御部、使用者との情報の受付報知を行うユーザーインターフェイス部、使用者を識別するための使用者識別装置の少なくとも１つを含んでおり、使用者からの指示に基づいて、相互に連携しあって画像処理を実行する画像処理装置である。
【００２０】
請求項１１に記載の発明は、相反する状態に応じて、電源部から負荷まで配線された電力供給配線を導通又は非導通状態とする状態スイッチと（開閉検出スイッチＳＷ１）、前記負荷の使用状態に関する情報に基づいて、当該負荷が不使用のとき、前記電源部からの電力供給を中断して、前記負荷への電力供給を断つことで節電する節電手段と（スリープモード遷移制御）、前記状態スイッチの下流側から分岐された下流側分岐線の電流が入力信号となって動作するスイッチング素子と（トランジスタＱ１）、前記状態スイッチの上流側から分岐された上流側分岐線から電力供給を受ける共に前記スイッチング素子を含んだ回路の一部として設けられたコイル及び前記状態スイッチよりも下流側の電力供給配線上に介在され前記コイルが非通電状態でオンする常態導通型スイッチを備えた継電器と（リレースイッチＲＬ２）、前記継電器の常態導通型スイッチと並列接続され、前記負荷への電力供給開始時の電流を制限して突入電流を抑制する電流制御回路部と（電流制御回路）、前記上流側分岐線の電流に対する前記入力信号の出力時期を調整する第１の遅延回路（コンデンサＣ１）、並びに前記スイッチング素子の導通状態に対する前記コイルの通電時期を調整する第２の遅延回路（コンデンサＣ２）を備え、前記第１の遅延回路と第２の遅延回路に設定する時定数を相関させ、少なくとも前記節電手段による節電中は前記継電器の常態導通型スイッチの導通を維持する導通維持手段と（リレースイッチＲＬ２を制御するコイルを含む回路の動作全般）、を有している。
【発明の効果】
【００２１】
請求項１に記載の発明によれば、節電のための電力遮断制御に伴う、インターロック部等に設けられた機械的動作を伴う接点切り替え動作を抑制することができる。
【００２２】
請求項２に記載の発明によれば、電力供給状態の遷移制御と、接点切り替え動作の契機となる一次側の回路を、電力供給状態の遷移制御の対象外とすることができる。
【００２３】
請求項３に記載の発明によれば、定常状態（状態検出手段における特定の状態の未検出状態）では、一次側の回路の電流が遮断されているので、電力供給状態の遷移制御によって電力遮断状態となっても影響を受けない。
【００２４】
請求項４に記載の発明によれば、電力遮断状態では、継電器が予備電源部から電力供給を受けるので、電力供給状態の遷移制御の対象外とすることができる。
【００２５】
請求項５に記載の発明によれば、継電器の接点切替頻度を軽減することができる。
【００２６】
請求項６に記載の発明によれば、本構成を有しない場合に比べて構造を簡単にすることができる。
【００２７】
請求項７に記載の発明によれば、電力供給状態の遷移制御の利便性を省エネ性を両立することができる。
【００２８】
請求項８に記載の発明によれば、移動体検出センサによる使用者とそれ以外との判別精度高めることができる。
【００２９】
請求項９に記載の発明によれば、モード単位で電力供給状態の遷移制御をすることができる。
【００３０】
請求項１０及び請求項１１に記載の発明によれば、節電のための電力遮断制御に伴う、インターロック部等に設けられた機械的動作を伴う接点切り替え動作を抑制することができる。
【図面の簡単な説明】
【００３１】
【図１】第１の実施の形態に係る画像処理装置を含む通信回線網接続図である。
【図２】第１の実施の形態に係る画像処理装置の概略図である。
【図３】第１の実施の形態に係る画像処理装置の制御系の構成を示すブロック図である。
【図４】第１の実施の形態に係るメインコントローラと電源装置の制御系を機能別に概略図である。
【図５】画像処理装置における、各モード状態と、当該モード状態の移行の契機となる事象を示したタイミングチャートである。
【図６】第１の実施の形態にかかり、画像処理装置及びその周辺示す平面図である。
【図７】第１の実施の形態に係るインターロック部の回路構成図である。
【図８】第１の実施の形態に係るインターロック部の動作状態を示すタイミングチャートである。
【図９】第２の実施の形態に係るインターロック部の回路構成図である。
【図１０】第２の実施の形態に係るインターロック部の動作状態を示すタイミングチャートである。
【図１１】第３の実施の形態に係るインターロック部及びその周辺の電力供給制御のためのブロック図である。
【発明を実施するための形態】
【００３２】
［第１の実施の形態］
（画像処理装置の構成）
図１に示される如く、第１の実施の形態に係る画像処理装置１０は、インターネット等のネットワーク通信回線網２０に接続されている。図１では、２台の画像処理装置１０が接続されているが、この数は限定されるものではなく、１台でもよいし、３台以上であってもよい。
【００３３】
また、このネットワーク通信回線網２０には、情報端末機器としての複数のＰＣ（パーソナルコンピュータ）２１が接続されている。図１では、２台のＰＣ２１が接続されているが、この数は限定されるものではなく、１台でもよいし、３台以上であってもよい。また、情報端末機器としては、ＰＣ２１に限定されるものではなく、さらには有線接続である必要もない。すなわち、無線によって情報を送受信する通信回線網であってもよい。
【００３４】
図１に示される如く、画像処理装置１０では、ＰＣ２１から当該画像処理装置１０に対して、遠隔で、例えばデータを転送して画像形成（プリント）指示操作を行なう場合、或いは使用者（ユーザー）が画像処理装置１０の前に立ち、各種操作によって、例えば、複写（コピー）、スキャン（画像読取）、ファクシミリ送受信等の処理を指示する場合がある。
【００３５】
図２には、第１の実施の形態に係る画像処理装置１０が示されている。
【００３６】
画像処理装置１０は、筐体１０Ａによって覆われており、適宜個所に開閉可能な扉が設けられている。一例として、図２の前面の扉１０Ｂを図示するが、例えば、左右の側面にも扉が存在する場合がある。この扉１０Ｂは、例えば、紙詰まり、消耗品の交換、定期点検等、装置内部に作業者が手を差し延べて作業する場合に開放されるものであり、通常処理中は閉止されている。
【００３７】
この扉１０Ｂの開閉動作軌跡上には、当該扉１０Ｂの開閉状態を検出する開閉検出スイッチＳＷ１が設けられている。この開閉検出スイッチＳＷ１は、図４に示すインターロック部１４の一部を構成している。詳細は後述するが、インターロック部１４では、前記開閉検出スイッチＳＷ１からの出力信号に基づいて、前記扉１０Ｂが開放されたことを判別すると、２４Ｖ電源部２５０Ｈ（図４参照）から一部の負荷（例えば、画像形成部２４０）への電力供給を遮断するようになっている。なお、２４Ｖ電源部２５０Ｈからの出力を全て遮断する構成としてもよい。
【００３８】
画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部２４０又はファクシミリ通信制御回路２３６へ送出したりする。
【００３９】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００４０】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００４１】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００４２】
画像処理装置１０には、入力電源線２４４の先端にコンセント２４５が取り付けられており、壁面Ｗまで配線された商用電源２４２の配線プレート２４３に、当該コンセント２４５を差し込むことで、画像処理装置１０は、商用電源２４２から、電力の供給を受けるようになっている。
【００４３】
（画像処理装置の制御系ハード構成）
図３は、画像処理装置１０の制御系のハード構成の概略図である。
【００４４】
ネットワーク回線網２０は、メインコントローラ２００に接続されている。メインコントローラ２００には、それぞれ、データバスやコントロールバス等のバス３３Ａ〜３３Ｄを介して、ファクシミリ通信制御回路２３６、画像読取部２３８、画像形成部２４０、ＵＩタッチパネル２１６が接続されている。すなわち、このメインコントローラ２００が主体となって、画像処理装置１０の各処理部が制御されるようになっている。なお、ＵＩタイッチパネル２１６には、ＵＩタッチパネル用バックライト部（図４参照）が取り付けられている場合がある。
【００４５】
また、画像処理装置１０は、電源装置２０２を備えており、メインコントローラ２００とはバス３３Ｅで接続されている。電源装置２０２は、商用電源２４２から電力の供給を受けている。電源装置２０２では、メインコントローラ２００、ファクシミリ通信制御回路２３６、画像読取部２３８、画像形成部２４０、ＵＩタッチパネル２１６のそれぞれに対して独立して電力を供給する電力供給線３５Ａ〜３５Ｄが設けられている。このため、メインコントローラ２００では、各処理部（デバイス）に対して個別に電力供給（電力供給モード）、或いは電力供給遮断（スリープモード）し、所謂部分節電制御を可能としている。
【００４６】
また、メインコントローラ２００には、２個の第１の人感センサ２８、第２の人感センサ３０が接続されており、画像処理装置１０の周囲の人の有無を監視している。この第１の人感センサ２８、第２の人感センサ３０については後述する。
【００４７】
（部分節電構成を主体とした機能ブロック図）
図４は、前記メインコントローラ２００によって制御される処理部（「デバイス」、「モジュール」等と称する場合もある）、並びにメインコントローラ２００、並びに各デバイスへ電源を供給するための電源装置２０２の電源ラインを主体とした概略構成図である。第１の実施の形態では、画像処理装置１０が処理部単位で電力供給又は非供給が可能でとなっている（部分節電）。
【００４８】
なお、処理部単位の部分節電は一例であり、処理部をいくつかのグループに分類しグループ単位で節電の制御を行ってもよいし、処理部を一括して節電の制御を行ってもよい。      
【００４９】
［メインコントローラ２００］
図４に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６（バックライト部２１６ＢＬを含む）が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００５０】
Ｉ／Ｏ２１０には、タイマ回路２２０、通信回線Ｉ／Ｆ２２２が接続されている。さらに、Ｉ／Ｏ２１０には、ファクシミリ通信制御回路（モデム）２３６、画像読取部２３８、画像形成部２４０の各デバイスに接続されている。
【００５１】
なお、前記タイマ回路２２０は、前記ファクシミリ通信制御回路２３６、画像読取部２３８、画像形成部２４０を節電状態（電源非供給状態）とするための契機として、初期設定時間の計時を行うものである（以下、「システムタイマ」という場合がある）。
【００５２】
メインコントローラ２００及び各デバイス（ファクシミリ通信制御回路２３６、画像読取部２３８、画像形成部２４０）は、電源装置２０２から電源が供給される（図４の点線参照）。なお、図４では、電源線を１本の線（点線）で示しているが、実際には２本〜３本の配線である。
【００５３】
［電源装置２０２］
図４に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００５４】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通／非導通させるためのスイッチング制御を行う。
【００５５】
一方、第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。
【００５６】
また、第２の電源部２５０は、２４Ｖ電源部２５０Ｈ（ＬＶＰＳ２）と５Ｖ電源部２５０Ｌ（ＬＶＰＳ１）を備えている。２４Ｖ電源部２５０Ｈ（ＬＶＰＳ２）は主としてモーター等で使用される電源である。
【００５７】
第２の電源部２５０の２４Ｖ電源部２５０Ｈ（ＬＶＰＳ２）及び５Ｖ電源部２５０Ｌ（ＬＶＰＳ１）は、選択的に、画像読取部電源供給部２５８、画像形成部電源供給部２６０、ファクシミリ通信制御回路電源供給部２６４、ＵＩタッチパネル電源供給部２６６に接続されている。
【００５８】
画像読取部電源供給部２５８は、２４Ｖ電源部２５０Ｈ（ＬＶＰＳ２）を入力源として、第２のサブ電源スイッチ２６８（以下、「ＳＷ−２」という場合がある。）を介して、画像読取部２３８に接続されている。
【００５９】
画像形成部電源供給部２６０は、２４Ｖ電源部２５０Ｈ（ＬＶＰＳ２）と５Ｖ電源部２５０Ｌ（ＬＶＰＳ１）を入力源として、第３のサブ電源スイッチ２７０（以下、「ＳＷ−３」という場合がある。）を介して、画像形成部２４０に接続されている。
【００６０】
ファクシミリ通信制御回路電源供給部２６４は、２４Ｖ電源部２５０Ｈ（ＬＶＰＳ２）と５Ｖ電源部２５０Ｌ（ＬＶＰＳ１）を入力源として、第４のサブ電源スイッチ２７４（以下、「ＳＷ−４」という場合がある。）を介して、ファクシミリ通信制御回路２３６及び画像形成部２４０に接続されている。
【００６１】
ＵＩタッチパネル電源供給部２６６は、５Ｖ電源部２５０Ｌ（ＬＶＰＳ１）と２４Ｖ電源部２５０Ｈ（ＬＶＰＳ２）を入力源として、第５のサブ電源スイッチ２７６（以下、「ＳＷ−５」という場合がある。）を介して、ＵＩタッチパネル２１６（バックライト部２１６ＢＬを含む）に接続されている。なお、ＵＩタッチパネル２１６の本来の機能（バックライト部２１６ＢＬを除く機能）へは、節電中監視制御部２４から電源を供給可能としてもよい。
【００６２】
前記第２のサブ電源スイッチ２６８、第３のサブ電源スイッチ２７０、第４のサブ電源スイッチ２７４、第５のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。図示していないが、２４Ｖ電源部２５０Ｈと５Ｖ電源部２５０Ｌが供給されるスイッチや配線は、２系統で構成されている。また電源スイッチ２６８〜２７６は電源装置２０２でなく、電源供給先の各デバイス内に配置されても良い。
【００６３】
或いは、電源スイッチ２６８〜２７６は、それぞれの電源供給部（画像読取部電源供給部２５８、画像形成部電源供給部２６０、ファクシミリ通信制御回路電源供給部２６４、ＵＩタッチパネル電源供給部２６６）の上流側に配置されていてもよい。
【００６４】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。なお、電源スイッチ２６８〜２７６を上流側に配置する方が、他の構成よりも、より省エネ効果が向上される。
【００６５】
前記画像形成部電源供給部２６０の下流側には、第３のサブ電源スイッチ２７０を介して、インターロック部１４が接続されている。インターロック部１４の詳細構成については後述する。なお、第３のサブ電源スイッチ２７０が前記画像形成部電源供給部２６０の上流側に配置された場合には、インターロック部１４は、画像形成部電源供給部２６０の下流側に直接接続される。
【００６６】
（画像処理装置の状態遷移のための監視制御）
ここで、第１の実施の形態のメインコントローラ２００は、必要最小限の電力消費となるように、部分的にその機能を停止させる場合がある。或いは、メインコントローラ２００の大部分を含め、電力の供給を停止させる場合がある。これらを総称して「スリープモード（節電モード）」という場合がある（図５参照）。
【００６７】
スリープモードは、例えば、画像処理が終了した時点でシステムタイマを起動させることで移行可能である。すなわち、前記システムタイマが起動してから所定時間経過することで電力供給を停止させている。なお、所定時間が経過するまでに、何らかの操作（ハードキーの操作等）があれば、当然、スリープモードへのタイマカウントは中止され、次の画像処理終了時からシステムタイマが起動される。
【００６８】
一方、上記スリープモード中において、常に電力の供給を受ける素子として、節電中監視制御部２４がＩ／Ｏ２１０に接続されている。この節電中監視制御部２４は、例えば、ＡＳＩＣと称される、自身で動作プログラムが格納され、当該動作プログラムで処理されるＣＰＵ，ＲＡＭ，ＲＯＭ等を備えたＩＣチップ等で構成することができる。
【００６９】
ところで、前記節電中の監視において、例えば、通信回線検出部からプリント要求などが来たり、ＦＡＸ回線検出部からＦＡＸ受信要求が来ることで、節電中であったデバイスに対して、節電中監視制御部２４では、電源供給制御回路２５２を介して、第１のサブ電源スイッチ２５６、第２のサブ電源スイッチ２６８、第３のサブ電源スイッチ２７０、第４のサブ電源スイッチ２７４、第５のサブ電源スイッチ２７６を制御することで、電力を供給を行なうことが前提である。
【００７０】
また、メインコントローラ２００のＩ／Ｏ２１０には、節電制御ボタン２６（単に、「節電ボタン２６」という場合がある。）が接続されており、節電中に使用者がこの節電制御ボタン２６を操作することで、節電が解除可能となっている。なお、この節電制御ボタン２６には、処理部に電力が供給されているときに操作されることで、当該処理部の電力供給を強制的に遮断し、節電状態にする機能を持たせてもよい。
【００７１】
ここで、スリープモードで監視するためには、節電中監視制御部２４以外に、節電制御ボタン２６や各検出部には節電中に必要最小限の電力を供給しておくことが好ましい。すなわち、電力非供給状態であるスリープモードであっても、予め定めた電力以下（例えば、０．５Ｗ以下）であり電力供給を行うか否かの判別制御に必要な電力の供給を受ける場合がある。
【００７２】
なお、スリープモードの特定の期間（図５に示すアウェイクモード（ａｗｋ）において、ＵＩタッチパネル２１６やＩＣカードリーダー２１７等の入力系を主体とした必要最小限の電力供給を含む（バックライト部２１６ＢＬを除く、或いは照度を通常よりも減らすことが好ましい）。
【００７３】
ところで、スリープモード時に使用者が画像処理装置１０の前に立ち、その後に節電制御ボタン２６を操作して、電力供給を再開した場合、画像処理装置１０が立ち上がるまでに時間を要する場合があった。
【００７４】
そこで、第１の実施の形態では、前記節電中監視制御部２４に、第１の人感センサ２８、第２の人感センサ３０を設置すると共に、スリープモードでは、使用者が節電解除ボタンを押す前に人感センサで検知して早期に電力供給を再開して、使用者が早く使えるようにした。なお、節電制御ボタン２６と第１の人感センサ２８、第２の人感センサ３０とを併用しているが、第１の人感センサ２８、第２の人感センサ３０のみで全ての監視を行うことも可能である。
【００７５】
第１の人感センサ２８、第２の人感センサ３０は、検出部２８Ａ、３０Ａと回路基板部２８Ｂ、３０Ｂとを備えており、回路基板部２８Ｂ，３０Ｂは、検出部２８Ａ、３０Ａで検出した信号の感度を調整したり、出力信号を生成する。
【００７６】
なお、第１の人感センサ２８、第２の人感センサ３０は、「人感」としているが、これは、第１の実施の形態に則した固有名詞であり、少なくとも人が感知（検出）できればよく、言い換えれば、人以外の移動体の感知（検出）も含むものである。従って、以下において、人感センサの検出対象を「人」に言及する場合があるが、将来的には、人に代わって実行するロボット等も感知対象範囲である。なお、逆に、人と特定して感知できる特殊センサが存在する場合は、当該特殊センサを適用可能である。以下では、移動体、人、使用者等は、第１の人感センサ２８、第２の人感センサ３０が検出する対象として同義として扱い、必要に応じて区別することとする。
【００７７】
第１の実施の形態に係る第１の人感センサ２８の仕様は、画像処理装置１０の周囲において、移動体の動きを検出するものである。この場合、焦電素子の焦電効果を用いた赤外線センサ等が代表的である（焦電型センサ）。第１の実施の形態では、第１の人感センサ２８として焦電型センサを適用している。
【００７８】
この第１の人感センサ２８に適用された焦電素子の焦電効果を用いたセンサの最大の特徴は、検出領域が広いことである。また、移動体の動きを感知するため、検出領域内であって、人が静止していると、人の存在を検出しない。例えば、人の移動時にハイレベル信号が出力されている場合、検出範囲内の人が静止すると、当該信号がローレベル信号になるものである。
【００７９】
なお、第１の実施の形態における「静止」とは、スチルカメラ等で撮影した静止画のように完全静止も当然含まれるが、例えば、人が画像処理装置１０の前に操作を目的として立ち止まることを含むものとする。従って、予め定めた範囲の微動（呼吸に伴う動き等）や、手足、首等を動かすといった場合を静止の範疇とする。
【００８０】
但し、人が画像処理装置１０の前で、例えば画像形成や画像読取等の処理を待つ間、その場でストレッチ運動等を行うと、人感センサ２８では、人の存在を検出する場合もある。
【００８１】
従って、当該「静止」を定義して第１の人感センサ２８の感度を調整するのではなく、感度は、比較的おおまか、かつ標準的に調整し、当該第１の人感センサ２８の検出状態に依存するようにしてもよい。すなわち、第１の人感センサ２８が二値信号の内の１つ（例えば、ハイレベル信号）を出力しているときは人が動いていることを示し、第２の第１の人感センサ２８の検出領域内に人が存在し、かつ二値信号の内の他の１つ（例えば、ローレベル信号）が出力された場合を静止とすればよい。
【００８２】
一方、第１の実施の形態に係る第２の人感センサ３０の仕様は、移動体の有無（存在・不存在）を検出するものが適用されている。この第２の人感センサ３０に適用されるセンサは、投光部と受光部とを備えた反射型センサ等が代表的である（反射型センサ）。なお、投光部と受光部とが分離された形態であってもよい。
【００８３】
この第２の人感センサ３０に適用された反射型センサ等の最大の特徴は、受光部に入る光を遮断する／しないによって移動体の有無を確実に検出することである。また、投光部から投光される光量等により、受光部へ入射する光量に制限があるため、比較的近距離が検出領域である。
【００８４】
なお、第１の人感センサ２８、第２の人感センサ３０として、以下に示す機能をそれぞれ達成することが可能であれば、第１の人感センサ２８として焦電型センサや、第２の人感センサ３０として反射型センサに限定されるものではない。
【００８５】
ここで、第１の実施の形態では、第１の人感センサ２８と第２の人感センサ３０により、最大検出範囲（例えば、図１の領域Ｍ）を２つの領域（図６の第１の領域Ｆと第２の領域Ｎ）を設定した。
【００８６】
相対的に遠い検出領域である図６の第１の領域Ｆ（単に、「領域Ｆ」という場合がある）は、第１の人感センサ２８による検出領域であり、遠隔移動体検出手段としての機能を有する。また、相対的に近い検出領域である図６の第２の領域Ｎ（単に、「領域Ｎ」という場合がある）は、第２の人感センサ３０による検出領域であり、近接移動体検出手段としての機能を有する。
【００８７】
第１の人感センサ２８の検出領域（図６の第１の領域Ｆ参照）は、画像処理装置１０が設置されている場所の環境にもよるが、目安として２〜３ｍ程度である。一方、第２の人感センサ３０の検出領域（図６の第２の領域Ｎ)参照）は、画像処理装置１０のＵＩタッチパネル２１６やハードキーの操作が可能な範囲であり、目安として０〜０．５ｍ程度である。
【００８８】
図６に示される如く、移動体（使用者）と画像処理装置１０との関係は、大きく分けて３形態あり、第１の形態は、人が画像処理装置１０に対して、使用目的で操作可能位置まで近づいてくる形態（図６のＡ線矢視の動向（Ａパターン）参照）、第２の形態は、人が処理装置を使用目的ではないが、操作可能位置まで近づいてくる形態（図６のＢ線矢視の動向（Ｂパターン）参照）、第３の形態は、人が処理装置の操作可能位置まで近づかないが、第１の形態、第２の形態に移行する可能性のある距離まできている形態（図６のＣ線矢視の動向（Ｃパターン）参照）。
【００８９】
第１の実施の形態では、人の動向を少なくとも上記Ａパターン〜Ｃパターンに区別することで、画像処理装置１０の状態、特にスリープモードからの電力供給状態へ立ち上げ、或いは電力供給状態からスリープモードへの立ち下げを制御する。
【００９０】
（インターロック部１４の回路構成）
ここで、第１の実施の形態に係るインターロック部１４について詳細に説明する。
【００９１】
従来のインターロック部１４の回路構成は、２４Ｖ電源供給部２５０Ｈからの電力供給状態に依存して、電力供給状態で機械的動作を伴って接点が切り替わるリレースイッチの接点切り替えが発生していた。
【００９２】
これに対して、第１の実施の形態では、このインターロック部１４と前述したモード遷移（特に、「スリープモード」）との関係において、前記インターロック部１４に設けられ、電力供給状態で機械的動作を伴って接点が切り替わるリレースイッチ（図７に示すリレースイッチＲＬ２のスイッチ部１０４Ｓ参照）の動作を、スリープモード時の電力供給制御に関与させないようにしている。
【００９３】
図７に示される如く、２４Ｖ電源供給部２５０Ｈは、開閉検出スイッチＳＷ１のコモン接点１００Ａに接続され、この開閉検出スイッチＳＷ１の第１接点１００ＢはリレースイッチＲＬ２の二次側であるスイッチ部１０４Ｓの第１端子１０４Ａに接続されている。なお、開閉検出スイッチＳＷ１の第２接点１００Ｃは開放（不使用）されている。
【００９４】
リレースイッチＲＬ２のスイッチ部１０４Ｓの両端には、電流制御回路１０６が接続されている。また、このスイッチ部１０４Ｓの第２端子１０４Ｂは負荷１０８に接続されている。なお、この負荷１０８は、前述した全ての処理部（図４に示す、画像読取部２３８、画像形成部２４０、ファクシミリ通信制御回路２３６、ＵＩタッチパネル２１６等）を総称したものである。
【００９５】
なお、この２４Ｖ電源供給部２５０Ｈから負荷１０８までの配線を、電力供給配線１１０という。
【００９６】
ここで、２４Ｖ電源供給部２５０Ｈから負荷１０８までの電力供給配線１１０が導通開始された直後は、電流制御回路１０６によって、リレースイッチＲＬ２のスイッチ部１０４Ｓへ突入電流が流れることを回避し、負荷１０８へは徐々に電流が増加するように電力が供給されるようになっている。
【００９７】
前記リレースイッチＲＬ２のスイッチ部１０４Ｓは、所謂ノーマリークローズタイプ（常態導通型）のスイッチであり、後述する一次側のコイル部１１２が非通電のときにオン、通電するとオフするようになっている。
【００９８】
前記開閉スイッチＳＷ１の上流側、すなわち、前記２４Ｖ電源供給部２５０Ｈと開閉検出スイッチＳＷ１との間の電力供給配線１１０からは分岐線（以下、「上流側分岐線１１４」という）が接続され、ダイオードＣＲ４のアノード側に接続されている。ダイオードＣＲ４のカソード側は、前記リレースイッチＲＬ２の一次側であるコイル部１１２の一端１１２Ａに接続されている。
【００９９】
コイル部１１２の他端１１２Ｂは、ｐｎｐ型のスイッチングトランジスタＱ１のエミッタ（Ｅ）に接続されている。このスイッチングトランジタＱ１のコレクタ（Ｃ）は接地されている。また、コイル部１１２の一端１１２Ａと他端１１２Ｂとの間には、前記一端１１２Ａ側がカソード、他端１１２Ｂ側がアノードとなるようにダイオードＣＲ２が介在されている。
【０１００】
また、コイル部１１２の一端１１２Ａは、直列に接続された抵抗Ｒ５及びコンデンサＣ３を介して接地されている。さらに、コイル部１１２の一端１１２Ａは抵抗Ｒ６を介して接地されている。
【０１０１】
このコンデンサＣ３及びその周辺の回路は、予め定めた時定数を持っており、コイル部１１２を通電するときの遅延回路としての役目を有している。
【０１０２】
一方、前記開閉スイッチＳＷ１の下流側、すなわち、当該開閉スイッチＳＷ１とリレースイッチＲＬ２のスイッチ部１０４Ｓとの間の電力供給配線１１０からは分岐線（以下、「下流側分岐線１１６」という）が接続され、ダイオードＣＲ３のアノード側に接続されている。また、ダイオードＣＲ３のカソード側は、直列接続された抵抗Ｒ２、抵抗Ｒ３、抵抗Ｒ４を介して接地されている。
【０１０３】
さらに、前記抵抗Ｒ２と抵抗Ｒ３との間は、コンデンサＣ２を介して接地されている。また、抵抗Ｒ３と抵抗Ｒ４との間は、前記スイッチングトランジスタＱ１のベース（Ｂ）に接続されている。このため、抵抗Ｒ３と抵抗Ｒ４とにより分圧された電圧が、前記スイッチングトランジスタＱ１のオン・オフを制御する入力信号となる。なお、このベース（Ｂ）への入力信号がＬ信号のとき、スイッチングトランジスタＱ１はオン（エミッタ（Ｅ）−コレクタ（Ｃ）間の導通）、ベース（Ｂ）への入力信号がＨ信号のとき、スイッチングトランジスタＱ１はオフ（エミッタ−コレクタ間の非導通）となる。
【０１０４】
前記コンデンサＣ２及びその周辺の回路は、予め定めた時定数を持っており、スイッチングトランジスタＱ１のベース（Ｂ）に入力信号を送出するときの遅延回路としての役目を有している。
【０１０５】
このコンデンサＣ２を中心とする遅延回路と、前記コンデンサＣ３を中心とする遅延回路との間には相関関係があり、例えば、コンデンサＣ３の放電時間よりもコンデンサＣ２の放電時間を長くし、コンデンサＣ３の放電によるリレースイッチＲＬ２のコイル部１１２へ電流を流すことをスイッチングトランジスタＱ１のベース（Ｂ）信号のＨ信号維持により回避している。
【０１０６】
以下、第１の実施の形態の作用を説明する。
【０１０７】
（画像処理装置１０（デバイス）の電力供給制御のモード遷移）
まず、図５に基づき、画像処理装置１０における、各モード状態と、当該モード状態の移行の契機となる事象を示したタイミングチャートを示す。
【０１０８】
画像処理装置１０は、処理がなされていないと動作状態は、スリープモードとなり、第１の実施の形態では、節電中監視制御部２４にのみ電力が供給されている。
【０１０９】
ここで、立ち上げ契機（立ち上げトリガの検出、或いはＵＩタッチパネル２１６等の操作入力（キー入力））があると、動作状態はウォームアップモードへ遷移する。
【０１１０】
なお、この立ち上げトリガ契機後は、依然としてスリープモードと定義し、ＵＩタッチパネル２１６のみを起動するようにしてもよいし、或いは、ＵＩタッチパネル２１６の起動によって、節電中監視制御部２４のみの電力供給よりも電力供給量が増加するので、アウェイクモード「ａｗｋ」（目覚めモード）として定義してもよい（図５の遷移図における、スリープモード範囲の括弧［  ］内参照）。このアウェイクモードでＵＩタッチパネル２１６等の操作入力（キー入力））があると、動作状態はウォームアップモードへ遷移する。
【０１１１】
前記立ち上げトリガとは、主として、第２の人感センサ３０による検出結果に基づく信号や情報等がある。なお、操作者による節電解除操作も立ち上げトリガとしてもよい。
【０１１２】
ウォームアップモードは画像処理装置１０を迅速に処理可能状態にもっていくため、各モードの内最大の電力消費量となるが、例えば、定着部におけるヒータとしてＩＨヒータを利用することによって、ハロゲンランプを用いたヒータよりもウォームアップモード時間は、比較的短い時間とされている。
【０１１３】
ウォームアップモードによる暖機運転が終了すると、画像処理装置１０はスタンバイモードに遷移するようになっている。
【０１１４】
スタンバイモードは、文字通り「事に備えて準備が完了している」モードであり、画像処理装置１０においては、画像処理の動作が即実行できる状態となっている。
【０１１５】
このため、キー入力としてジョブ実行操作があると、画像処理装置１０の動作状態は、ランニングモードに遷移し、指示されたジョブに基づく画像処理が実行されるようになっている。
【０１１６】
画像処理が終了すると（連続した複数のジョブが待機している場合は、その連続したジョブの全てが終了したとき）、待機トリガによって画像処理装置１０の動作状態はスタンバイモードへ遷移する。なお、画像処理後、システムタイマによる計時を開始し、予め定めた時間経過した後に待機トリガを出力し、スタンバイモードへ遷移するようにしてもよい。
【０１１７】
このスタンバイモード中にジョブ実行指示があれば、再度ランニングモードへ遷移し、立ち下げトリガの検出がある、或いは予め定めた時間が経過したとき、スリープモードへ遷移するようになっている。
【０１１８】
なお、立ち下げトリガとは、第２の人感センサ３０による検出結果に基づく信号や情報等がある。なお、システムタイマを併用してもよい。
【０１１９】
また、画像処理装置１０における実際の動作におけるモード状態の遷移が、全てこのタイミングチャートのとおり時系列で進行するものではない。例えば、ウォームアップモード後のスタンバイモードで処理が中止され、スリープモードへ移行する場合もある。
【０１２０】
ここで、電力の供給を受けて動作する各デバイスは、図５におけるスリープモードからアウェイクモード、ウォームアップモードを経てスタンバイモードへ遷移することで、それぞれの処理を即時に実行可能となる。
【０１２１】
このように、第１の実施の形態の画像処理装置１０は、モードの間を相互に遷移しており、各モード毎に電力供給量が異なっている。
【０１２２】
第１の実施の形態の画像処理装置１０では、予め定められた条件（例えば、人感センサ３０による移動体（使用者）立ち去り情報、或いはシステムタイマのタイムアップによる立ち下げトリガ出力）が揃うと、スリープモードへ移行する。このスリープモードでは、ファクシミリ通信制御回路２３６、画像読取部２３８、画像形成部２４０の各デバイスのみならず、節電中監視制御部２４を除くメインコントローラ２００、並びにＵＩタッチパネル２１６に対しても電力供給を遮断する。この場合、メインコントローラ２００に接続されている節電制御ボタン２６の機能も停止されることが好ましい。このため、周囲から画像処理装置１０を見ると、メイン電源スイッチが切られている状態とほぼ同等の状態となる。すなわち、スリープモードが確実に実行されていることが、周囲から確認可能な状態となる（「見える化」の実現）。
【０１２３】
画像処理装置１０のデバイス（ファクシミリ通信制御回路２３６、画像読取部２３８、画像形成部２４０）に関しては、第１の人感センサ２８及び第２の人感センサ３０に基づき、省エネ性及び利便性という二律背反の目的を相互に考慮し、適正なモード遷移（特に、スリープモードからの立ち上げ、並びにスリープモードへの立ち下げ）を行っている。この場合、第１の人感センサ２８及び第２の人感センサ３０等の検出系については、常時、電力が供給される前提となっている。なお、第１の人感センサ２８のみを常時電力供給対象とし、この第１の人感センサ２８で移動体（使用者）を検出した時点で、第２の人感センサ３０に電力を供給するようにしてもよい。
【０１２４】
ところで、インターロック部１４の回路構成は、２４Ｖ電源部２５０Ｈからの電力供給状態（ひいては、スリープモードで遮断される商用電源２４２）に依存して、電力供給状態で機械的動作を伴って接点が切り替わるリレースイッチの接点切り替えが発生する。現状のインターロック部１４の回路構成では、スリープモードへの遷移並びにスリープモードからの立ち上げの回数分、リレースイッチＲＬ２のスイッチ部１０４Ｓの動作が増加するため、第１の実施の形態では、スリープモード時の電力供給制御に関与させないような、インターロック部１４の回路構成を構築した（図７参照）。
【０１２５】
（第１の実施の形態に係る、インターロック部１４の動作）
以下、この図７の回路に基づく動作を、図８のタイミングチャートに基づいて説明する。なお、括弧付き数字「例えば、（１）等」は、図８の各所に付記した括弧付き数字と対応しており、当該付記点の動作時期である。
【０１２６】
２４Ｖ電源部２５０Ｈから電力が供給されていないとき、リレースイッチＲＬ２は、ノーマリークローズ型であるので、スイッチ部１０４Ｓはオンとなっている。
【０１２７】
（１）  ２４Ｖ電源部２５０Ｈから電力供給が開始されると、開閉検出スイッチＳＷ１→リレースイッチＲＬ２（＋電流制御回路１０６）を通して、負荷１０８へ電力が供給される。このとき、電流制御回路１０６により突入電流は抑制される。
【０１２８】
負荷１０８に電力が供給されると、ダイオードＣＲ３→抵抗Ｒ２を通り、コンデンサＣ２が充電される。また、負荷１０８に電力が供給されると、ダイオードＣＲ４→抵抗Ｒ５を通り、コンデンサＣ３が充電される。
【０１２９】
コンデンサＣ３が飽和すると、リレースイッチＲＬ２のコイル部１１２に電流が流れるが、その前に、コンデンサＣ２を飽和させることで、（２）  スイッチングトランジスタＱ１のベース（Ｂ）をＨ信号とし、前記スイッチングトランジスタＱ１をオフにすれば、（３）  リレースイッチＲＬ２のコイル部１１２に電流が流れず、リレースイッチＲＬ２のスイッチ部１０４Ｓはオンが維持され、負荷１０８への電力供給が継続される。
【０１３０】
ここで、（４）  筐体１０Ａの扉１０Ｂが開放されると、開閉検出スイッチＳＷ１がオフとなり、コンデンサＣ２の放電後、（５）  スイッチングトランジスタＱ１のベース（Ｂ）の信号がＬ信号となり、スイッチングトランジスタＱ１はオンとなる。
【０１３１】
扉１０Ｂが開放されても、ダイオードＣＲ４→抵抗Ｒ５を通る回路は電流が流れているので、コンデンサＣ３の飽和が継続されており、（６）  リレースイッチＲＬ２のコイル部１１２に電流が流れ、リレースイッチＲＬ２のスイッチ部１０４Ｓがオフとなる。
【０１３２】
次に、（７）  扉１０Ｂが閉止されると、開閉検出スイッチＳＷ１がオンとなり、電流制御回路１０６を介して負荷１０８に電力が供給され（突入電流防止）、コンデンサＣ２が充電を開始する。
【０１３３】
その後、コンデンサＣ２が飽和すると、（８）  スイッチングトランジスタＱ１のベース（Ｂ）信号がＨ信号となり、スイッチングトランジスタＱ１はオフとなる。
【０１３４】
このスイッチングトランジスタＱ１のオフにより、（９）  リレースイッチＲＬ２のコイル部１１２に電流が流れなくなり、リレースイッチＲＬ２のスイッチ部１０４Ｓがオンとなって、負荷１０８へ電力が供給される。
【０１３５】
次に、（１０）  スリープ状態（開閉検出スイッチＳＷ１オン、２４Ｖ電源供給部２５０Ｈからの電力供給断（電源オフ））になると、コンデンサＣ２、コンデンサＣ３がそれぞれ放電される。
【０１３６】
ここで、コンデンサＣ３の放電時間よりも、コンデンサＣ２の放電時間を長くする時定数を設定することで、コンデンサＣ３の放電によるリレースイッチＲＬ２のコイル部１１２へ電流を流すことを、スイッチングトランジスタＱ１のベース（Ｂ）信号のＨ信号維持により回避し、コンデンサＣ３の放電後にコンデンサＣ２が放電されると、（１１）  スイッチングトランジスタＱ１のベース（Ｂ）がＬ信号になって、スイッチングトランジスタＱ１がオンになっても、（１２）  リレースイッチＲＬ２のコイル部１１２に電流が流れず、（１３）  リレースイッチＲＬ２のスイッチ部１０４Ｓをオン状態で維持できる。
【０１３７】
（１４）〜（１６）  スリープ状態が解除されると、２４Ｖ電源部２５０Ｈの電力供給断（電源オフ）から電力供給が開始（電源オン）され、前記（１）〜（３）と同様に動作して、負荷１０８へ電力が供給される。
【０１３８】
［第２の実施の形態］
以下に第２の実施の形態について説明する。第２の実施の形態では、前記第１の実施の形態と同一構成部分については同一の符号を付してその構成の説明を省略する。この第２の実施の形態の特徴は、図９に示すインターロック部１４Ａであり、従前のインターロック部の回路構成に、蓄電デバイスを追加することで、スリープモード時のリレースイッチの動作を回避するものである。
【０１３９】
（インターロック部１４Ａの回路構成）
図９に示される如く、２４Ｖ電源部２５０Ｈは、リレースイッチＲＬ１の二次側であるスイッチ部１１８Ｓの第１端子１２０Ａに接続されている。リレースイッチＲＬ１の第２端子１２０Ｂは、リレースイッチＲＬ２の二次側であるスイッチ部１０４Ｓの第１端子１０４Ａに接続されている。スイッチ部１０４Ｓの両端には、電流制御回路１０６が接続されている。
【０１４０】
また、このスイッチ部１０４Ｓの第２端子１０４Ｂは負荷１０８に接続されている。なお、この負荷１０８は、前述した全ての処理部（図４に示す、画像読取部２３８、画像形成部２４０、ファクシミリ通信制御回路２３６、ＵＩタッチパネル２１６等）を総称したものである。
【０１４１】
なお、この２４Ｖ電源部２５０Ｈから負荷１０８までの配線を、電力供給配線１１０という。
【０１４２】
ここで、２４Ｖ電源部２５０Ｈから負荷１０８までの電力供給配線１１０が導通開始された直後は、電流制御回路１０６によって、リレースイッチＲＬ１のスイッチ部１１８Ｓ及びリレースイッチＲＬ２のスイッチ部１０４Ｓへ突入電流が流れることを回避し、負荷１０８へは徐々に電流が増加するように電力が供給されるようになっている。
【０１４３】
前記リレースイッチＲＬ１のスイッチ部１１８Ｓ、並びにリレースイッチＲＬ２のスイッチ部１０４Ｓは、それぞれ所謂ノーマリーオープンタイプ（常態非導通型）のスイッチであり、後述する一次側のコイル部１２２、コイル部１１２が非通電のときにオフ、通電するとオンするようになっている。
【０１４４】
ここで、２４Ｖ電源部２５０ＨからとリレースイッチＲＬ１との間の電力供給配線１１０には、蓄電デバイス１２４が並列接続されている。すなわち、電力供給配線１１０には２個の分岐点１２６、１２８が設けられ、分岐点１２６はダイオードＣＲ３のアノード側に接続され、分岐点１２８はダイオードＣＲ５のアノード側に接続されている。
【０１４５】
ダイオードＣＲ３のカソード側は、蓄電デバイス１２４の一端に接続されている。また、この蓄電デバイス１２４の他端はダイオードＣＲ４のアノードに接続されている。このダイオードＣＲ４のカソードは、前記ダイオードＣＲ５のカソードに接続されている。
【０１４６】
さらに、ダイオードＣＲ４とダイオードＣＲ５との間は、開閉検出スイッチＳＷ１のコモン接点１００Ａに接続され、この開閉検出スイッチＳＷ１の第１接点１００Ｂは、抵抗Ｒ３を介して、リレースイッチＲＬ１の一次側であるコイル部１２２の一端１２２Ａに接続されている。なお、開閉検出スイッチＳＷ１の第２接点１００Ｃは開放（不使用）されている。
【０１４７】
リレースイッチＲＬ１のコイル部１２２の他端１２２Ｂは、ｐｎｐ型のスイッチングトランジスタＱ３のエミッタ（Ｅ）に接続されている。このスイッチングトランジタＱ３のコレクタ（Ｃ）は接地されている。また、コイル部１２２の一端１２２Ａと他端１２２Ｂとの間には、前記一端１２２Ａ側がカソード、他端１２２Ｂ側がアノードとなるようにダイオードＣＲ１が介在されている。
【０１４８】
また、コイル部１２２の一端１２２Ａは、直列に接続された抵抗Ｒ１及びコンデンサＣ１を介して、スイッチングトランジスタＱ３のエミッタ（Ｅ）に接続されている。
【０１４９】
前記抵抗Ｒ１とコンデンサＣ１との間は、リレースイッチＲＬ２の一次側であるコイル部１１２の一端１１２Ａに接続されている。
【０１５０】
リレースイッチＲＬ２のコイル部１１２の他端１１２Ｂは、前記スイッチングトランジスタＱ３のエミッタ（Ｅ）に接続されている。また、コイル部１１２の一端１１２Ａと他端１１２Ｂとの間には、前記一端１１２Ａ側がカソード、他端１１２Ｂ側がアノードとなるようにダイオードＣＲ２が介在されている。
【０１５１】
また、コイル部１１２の一端１１２Ａは直列に接続された抵抗Ｒ２、コンデンサＣ２を介して、スイッチングトランジスタＱ３のエミッタ（Ｅ）に接続されている。
【０１５２】
スイッチングトランジスタＱ３のベース（Ｂ）は外部からのオン（Ｌ信号）・オフ（Ｈ信号）の指示信号が入力されるようになっており、当該ベース（Ｂ）にＬ信号が送出されると、スイッチングトランジスタＱ３はオン（エミッタ（Ｅ）−コレクタ（Ｃ）間が導通）し、ベース（Ｂ）にＨ信号が送出されると、スイッチングトランジスタＱ３はオフ（エミッタ（Ｅ）−コレクタ（Ｃ）間が非導通）となる。
【０１５３】
前記コンデンサＣ１を中心とする遅延回路と、前記コンデンサＣ２を中心とする遅延回路との間には相関関係がある。
【０１５４】
（第２の実施の形態に係る、インターロック部１４の動作）
以下、この図９の回路に基づく動作を、図１０のタイミングチャートに基づいて説明する。なお、括弧付き数字「例えば、（１）等」は、図１０の各所に付記した括弧付き数字と対応しており、当該付記点の動作時期である。
【０１５５】
（１）  ２４Ｖ電源部２５０Ｈの電力供給断（電源オフ）状態では（２）  蓄電デバイス１２４は充電されておらず、（３）  リレースイッチＲＬ１のコイル部１２２、リレースイッチＲＬ２のコイル部１１２共に非励磁となり、リレースイッチＲＬ１のスイッチ部１１８Ｓ、リレースイッチＲＬ２のスイッチ部１０４Ｓはオフしている。
【０１５６】
（４）  ２４Ｖ電源部２５０Ｈの電力供給が開始（電源オン）されると、（５）  蓄電デバイス１２４の充電が開始され、（６）  開閉検出スイッチＳＷ１がオンしているので、コンデンサＣ１、コンデンサＣ２への充電が開始され、所定時間後、（７）  リレースイッチＲＬ１のコイル部１２２、リレースイッチＲＬ２のコイル部１１２が励磁されて、リレースイッチＲＬ１のスイッチ部１１８Ｓ、リレースイッチＲＬ２のスイッチ部１０４Ｓがオンになり、（８）  負荷１０８へ電力が供給される。
【０１５７】
次に、筐体１０Ａの扉１０Ｂが開放されると、（９）  開閉検出スイッチＳＷ１がオフし、蓄電デバイス１２４からの電力供給も、ダイオードＣＲ３，ＣＲ５により阻まれているので、コンデンサＣ１、コンデンサＣ２の放電後、（１０）  リレースイッチＲＬ１のコイル部１２２、リレースイッチＲＬ２のコイル部１１２への通電がなくなって非励磁となり、リレースイッチＲＬ１のスイッチ部１１８Ｓ、リレースイッチＲＬ２のスイッチ部１０４Ｓがオフして、（１１）  負荷１０８への電力供給が遮断される。
【０１５８】
また、再び、扉１０Ｂが閉止されると、（１２）  開閉検出スイッチＳＷ１がオンするので、電源オン時と同様にコンデンサＣ１、コンデンサＣ２への充電が開始され、所定時間後、リレースイッチＲＬ１のコイル部１２２、リレースイッチＲＬ２のコイル部１１２が励磁されて、リレースイッチＲＬ１のスイッチ部１１８Ｓ、リレースイッチＲＬ２のスイッチ部１０４Ｓがオンになり、（１３）  負荷１０８へ電力が供給される。
【０１５９】
次に、（１４）  スリープモードになると、商用電源２４２の電力供給断により、２４Ｖ電源供給部２５０Ｈからの電力供給もなくなるが、（１５）  蓄電デバイス１２４からの電力供給がダイオードＣＲ４を通して継続されるため、（１６）  リレースイッチＲＬ１のコイル１２２、リレースイッチＲＬ２のコイル部１１２の励磁が継続される。
【０１６０】
その結果、（１７）  リレースイッチＲＬ１のスイッチ部１１８Ｓ、リレースイッチＲＬ２のスイッチ部１０４Ｓはオンのままであるが、ダイオードＣＲ３，ＣＲ５により、蓄電デバイス１２４の電力も負荷１０８へ供給されないため、スリープモード中は、（１８）  負荷１０８への電力は非供給となる。
【０１６１】
［第３の実施の形態］
以下に第３の実施の形態について説明する。第３の実施の形態では、前記第１の実施の形態及び第２の実施の形態と同一構成部分については同一の符号を付してその構成の説明を省略する。
【０１６２】
第３の実施の形態の特徴は、図５に示すアウェイクモード時に電力供給されるデバイス（主として、ＵＩタッチパネル２１６等であり、以下、「スタンバイデバイス」という場合がある。）を備えた負荷１３０と、ウォームアップモード以降で電力供給されるデバイス（主として、画像読取部２３８、画像形成部２４０、ファクシミリ通信制御回路２３６等であり、以下、「処理デバイス」という場合がある。）を備えた負荷１３２に分類したことにある。
【０１６３】
図１１に示される如く、商用電源２４２は、第１のサブ電源スイッチ２５６を介して２４Ｖ電源部２５０Ｈに接続されている。
【０１６４】
第１のサブ電源スイッチ２５６は、コイル部１３４とこのコイル部１３４の励磁、非励磁によってオン、オフするスイッチ部１３６が組み合わされたリレースイッチＲＬ３であり、復帰信号によってコイル部１３４が励磁されることでスイッチ１３６がオンする。
【０１６５】
２４Ｖ電源部２５０Ｈの出力は分岐され、一方はインターロック部１３６を介して負荷（処理デバイス）１３２に接続されている。インターロック部１３６は、例えば、図９に示す構造から、蓄電デバイス１２４と、ダイオードＣＲ３、ＣＲ４、ＣＲ５が除かれた従前の構造であり、ここでの詳細構造の説明は省略するが、少なくとも機械的動作を伴って切替動作がなされるスイッチ（図９に示すＲＬ１、ＲＬ２）が備えられている。
【０１６６】
また、２４Ｖ電源部２５０Ｈの出力の他方は、蓄電デバイス１３８を介して、負荷（スタンバイデバイス）１３０に接続されている。
【０１６７】
上記構成により、スリープモードにおいても、その立ちがり直前のアウェイクモード時（図５参照）でのＵＩタッチパネル２１６等の負荷（スタンバイデバイス）１３０は、蓄電デバイス１３８に蓄電された電力が供給されて動作するため、例えば、ＵＩデバイス２１６を操作したのち、再びスリープモードへ遷移するような場合、インターロック部１３６への通電がなく、不必要なインターロック部１３６に設けられた、「機械的動作を伴って切替動作がなされるスイッチ」の切替動作を抑制することができる。
【符号の説明】
【０１６８】
Ｗ    壁面
１０    画像処理装置
２０    ネットワーク通信回線網
２１    ＰＣ
２２    電話回線網
２４    節電中監視制御部
２６    節電制御ボタン
２８    第１の人感センサ
３０    第２の人感センサ
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１７    ＩＣカードリーダー
２１８    ハードディスク
２２０    タイマ回路
２２２    通信回線Ｉ／Ｆ
２３６    ファクシミリ通信制御回路
２３８    画像読取部
２４０    画像形成部
２４２    商用電源
２４３    配線プレート
２４４    入力電源線
２４５    コンセント
２４６    メインスイッチ
２４８    第１の電源部
２５０    第２の電源部
２４８Ａ    制御用電源生成部
２５２    電源供給制御回路
２５４    電源線
２５６    第１のサブ電源スイッチ（「ＳＷ−１」）
２５０Ｈ    ２４Ｖ電源部（ＬＶＰＳ２）
２５０Ｌ    ５Ｖ電源部（ＬＶＰＳ１）
２５８    画像読取部電源供給部
２６０    画像形成部電源供給部
２６６    ファクシミリ通信制御回路電源供給部
２６８    第２のサブ電源スイッチ（「ＳＷ−２」）
２７０    第３のサブ電源スイッチ（「ＳＷ−３」）
２７４    第４のサブ電源スイッチ（「ＳＷ−４」）
２７６    第６のサブ電源スイッチ（「ＳＷ−５」） 
【図１】
0005895383.tif 000002
【図２】
0005895383.tif 000003
【図３】
0005895383.tif 000004
【図４】
0005895383.tif 000005
【図５】
0005895383.tif 000006
【図６】
0005895383.tif 000007
【図７】
0005895383.tif 000008
【図８】
0005895383.tif 000009
【図９】
0005895383.tif 000010
【図１０】
0005895383.tif 000011
【図１１】
0005895383.tif 000012